(57)【要約】【課題】簡易な作業で、複数の電子値札装置を適切に管理することができる商品情報表示システム、電子値札、商品情報表示システムの表示制御方法およびプログラムを提供すること。【解決手段】複数の電子値札装置７と、電子値札装置７に装着され、付加情報を表示するＰＯＰ装置８と、複数の電子値札装置７をグループ化して表示制御するホスト装置５と、を有する商品情報表示システム１であって、電子値札装置７は、自身が属するグループのグループ情報８４を記憶し、ホスト装置５に対して価格更新指示を送信する。ホスト装置５は、複数の電子値札装置７を介してＰＯＰ装置８に表示されている付加情報を取得する。ホスト装置５は、任意の１の電子値札装置７から価格更新指示を受信すると、取得した付加情報に基づいて、商品マスタ７１に記録されたグループ内の各電子値札装置７の表示価格７４を、付加情報に対応した価格に書き換える。【選択図】図４
2008212446.tif 000002
【特許請求の範囲】
【請求項１】
販売商品の表示価格を含む商品情報を表示する複数の電子値札装置と、前記複数の電子値札装置のうち１以上の前記電子値札装置に装着され、前記表示価格に付加して表示すべき付加情報を表示するＰＯＰ装置と、前記複数の電子値札装置をグループ化して表示制御を行うホスト装置と、を有する商品情報表示システムであって、
前記電子値札装置は、
自身が属するグループのグループ情報を記憶するグループ情報記憶手段と、
前記ホスト装置に対して前記グループに属する電子値札装置の価格更新指示を送信する価格更新指示手段と、を備え、
前記ホスト装置は、
前記販売商品毎に、前記電子値札装置に表示するための前記表示価格がグループ毎に記録された商品マスタと、
前記複数の電子値札装置から、前記ＰＯＰ装置に表示されている前記付加情報を取得する付加情報取得手段と、
任意の１の前記電子値札装置から前記価格更新指示を受信した場合、前記各電子値札装置から取得した前記付加情報に基づいて、前記商品マスタに記録された前記グループ内の前記各電子値札装置の前記表示価格を、取得した前記付加情報に対応した価格に書き換える書き換え手段と、を備えたことを特徴とする商品情報表示システム。
【請求項２】
前記ホスト装置は、
任意の１の前記電子値札装置から前記価格更新指示を受信した場合、前記グループ内の前記電子値札装置に、前記書き換え手段により書き換えられた価格を表示させる表示制御データを送信する表示制御データ送信手段をさらに備え、
前記電子値札装置は、
受信した前記表示制御データに基づいて当該価格を表示することを特徴とする請求項１に記載の商品情報表示システム。
【請求項３】
前記販売商品から前記商品情報を取得すると共に、前記商品マスタに前記商品情報を登録するために前記ホスト装置と通信するハンディターミナルをさらに有した商品情報表示システムであって、
前記ハンディターミナルは、
前記電子値札装置に対し、前記価格更新指示手段による前記価格更新指示を送信するように指示する送信指示手段を備えたことを特徴とする請求項１または２に記載の商品情報表示システム。
【請求項４】
販売商品の表示価格を含む商品情報を表示する複数の電子値札装置と、前記複数の電子値札装置のうち１以上の前記電子値札装置に装着され、前記表示価格に付加して表示すべき付加情報を表示するＰＯＰ装置と、
前記販売商品毎に、前記電子値札装置に表示するための前記表示価格がグループ毎に記録された商品マスタを備えると共に、前記複数の電子値札装置をグループ化して表示制御を行うホスト装置と、
前記販売商品から前記商品情報を取得すると共に、前記商品マスタに前記商品情報を登録するために前記ホスト装置と通信するハンディターミナルと、を有する商品情報表示システムであって、
前記電子値札装置は、
自身が属するグループのグループ情報を記憶するグループ情報記憶手段を備え、
前記ハンディターミナルは、
前記ホスト装置に対して前記グループに属する電子値札装置の価格更新指示を送信する価格更新指示手段を備え、
前記ホスト装置は、
前記複数の電子値札装置から、前記ＰＯＰ装置に表示されている前記付加情報を取得する付加情報取得手段と、
前記ハンディターミナルから前記前記価格更新指示を受信した場合、前記各電子値札装置から取得した前記付加情報に基づいて、前記商品マスタに記録された前記グループ内の前記各電子値札装置の前記表示価格を、取得した前記付加情報に対応した価格に書き換える書き換え手段と、を備えたことを特徴とする商品情報表示システム。
【請求項５】
請求項１ないし４のいずれか１項に記載の商品情報表示システムに用いられる電子値札装置として機能する電子値札。
【請求項６】
販売商品の表示価格を含む商品情報を表示する複数の電子値札装置と、前記複数の電子値札装置のうち１以上の前記電子値札装置に装着され、前記表示価格に付加して表示すべき付加情報を表示するＰＯＰ装置と、
前記販売商品毎に、前記電子値札装置に表示するための前記表示価格がグループ毎に記録された商品マスタを備えると共に、前記複数の電子値札装置をグループ化して表示制御を行うホスト装置と、を有する商品情報表示システムの表示制御方法であって、
前記電子値札装置が、
自身が属するグループのグループ情報を記憶するステップと、
前記ホスト装置に対して前記グループに属する電子値札装置の価格更新指示を送信するステップと、を実行し、
前記ホスト装置が、
前記複数の電子値札装置から、前記ＰＯＰ装置に表示されている前記付加情報を取得するステップと、
任意の１の前記電子値札装置から前記前記価格更新指示を受信した場合、前記各電子値札装置から取得した前記付加情報に基づいて、前記商品マスタに記録された前記グループ内の前記各電子値札装置の前記表示価格を、取得した前記付加情報に対応した価格に書き換えるステップと、を実行することを特徴とする商品情報表示システムの表示制御方法。
【請求項７】
コンピュータに、請求項６に記載の商品情報表示システムの表示制御方法における各ステップを実行させるためのプログラム。
【発明の詳細な説明】
【技術分野】
【０００１】
販売商品の表示価格を含む価格情報を表示する商品情報表示システム、電子値札、商品情報表示システムの表示制御方法およびプログラムに関するものである。
【背景技術】
【０００２】
従来、この種の商品情報表示システムに用いられる電子値札装置として、ＰＯＰ装置を装着したものが知られている。この電子値札装置に装着されるＰＯＰ装置は、プラスチック材等の薄板材で、中央に電子値札装置を装着するための駆形状の開口が形成され、その開口の周囲に販売促進に関する情報や広告が表記されている。そして、広告を変更する場合、手作業により電子値札装置のＰＯＰ装置を付け替えることにより対応している（特許文献１参照）。
【特許文献１】特開２００１−１７８５９９号公報
【発明の開示】
【発明が解決しようとする課題】
【０００３】
しかし、上記の商品情報表示システムは、システムを統括管理するホスト装置により電子値札装置の表示価格が管理されているため、ＰＯＰ装置を付け替えると、付け替えた時点では、ＰＯＰ装置に表記された内容と電子値札装置の表示価格との間にズレが生じてしまうという問題があった。また、一般に、ＰＯＰ装置の装着作業は、販売エリア毎に行われるため、作業者は、上記問題を解決するため、販売エリア内に設置された電子値札装置のＰＯＰ装置を付け替える度に、ホスト装置に管理されている電子値札装置の表示価格をＰＯＰ装置に表記された内容を反映した価格に直すために、ホスト装置の設置場所と販売エリアとの間を往復移動する必要があり、煩わしい作業となっていた。この問題を解決するため、電子値札装置からホスト装置に表示価格の更新指示を出す構成も考えられるが、ＰＯＰ装置の付け替えが必要な電子値札装置が多数存在する場合、それら全ての電子値札装置を特定し、当該電子値札装置から個々に更新指示を出す必要があるため、この場合も作業者にとって煩わしい作業となる。
【０００４】
そこで、簡易な作業で、複数の電子値札装置を適切に管理することができる商品情報表示システム、電子値札、商品情報表示システムの表示制御方法およびプログラムを提供することをその課題としている。
【課題を解決するための手段】
【０００５】
本発明の商品情報表示システムは、販売商品の表示価格を含む商品情報を表示する複数の電子値札装置と、複数の電子値札装置のうち１以上の電子値札装置に装着され、表示価格に付加して表示すべき付加情報を表示するＰＯＰ装置と、複数の電子値札装置をグループ化して表示制御を行うホスト装置と、を有する商品情報表示システムであって、電子値札装置は、自身が属するグループのグループ情報を記憶するグループ情報記憶手段と、ホスト装置に対してグループに属する電子値札装置の価格更新指示を送信する価格更新指示手段と、を備え、ホスト装置は、販売商品毎に、電子値札装置に表示するための表示価格がグループ毎に記録された商品マスタと、複数の電子値札装置から、ＰＯＰ装置に表示されている付加情報を取得する付加情報取得手段と、任意の１の電子値札装置から価格更新指示を受信した場合、各電子値札装置から取得した付加情報に基づいて、商品マスタに記録されたグループ内の各電子値札装置の表示価格を、取得した付加情報に対応した価格に書き換える書き換え手段と、を備えたことを特徴とする。
【０００６】
本発明の商品情報表示システムの表示制御方法は、販売商品の表示価格を含む商品情報を表示する複数の電子値札装置と、複数の電子値札装置のうち１以上の電子値札装置に装着され、表示価格に付加して表示すべき付加情報を表示するＰＯＰ装置と、販売商品毎に、電子値札装置に表示するための表示価格がグループ毎に記録された商品マスタを備えると共に、複数の電子値札装置をグループ化して表示制御を行うホスト装置と、を有する商品情報表示システムの表示制御方法であって、電子値札装置が、自身が属するグループのグループ情報を記憶するステップと、ホスト装置に対してグループに属する電子値札装置の価格更新指示を送信するステップと、を実行し、ホスト装置が、複数の電子値札装置から、ＰＯＰ装置に表示されている付加情報を取得するステップと、任意の１の電子値札装置から価格更新指示を受信した場合、各電子値札装置から取得した付加情報に基づいて、商品マスタに記録されたグループ内の各電子値札装置の表示価格を、取得した付加情報に対応した価格に書き換えるステップと、を実行することを特徴とする。
【０００７】
本発明の他の商品情報表示システムは、販売商品の表示価格を含む商品情報を表示する複数の電子値札装置と、複数の電子値札装置のうち１以上の電子値札装置に装着され、表示価格に付加して表示すべき付加情報を表示するＰＯＰ装置と、販売商品毎に、電子値札装置に表示するための表示価格がグループ毎に記録された商品マスタを備えると共に、複数の電子値札装置をグループ化して表示制御を行うホスト装置と、販売商品から商品情報を取得すると共に、商品マスタに商品情報を登録するためにホスト装置と通信するハンディターミナルと、を有する商品情報表示システムであって、電子値札装置は、自身が属するグループのグループ情報を記憶するグループ情報記憶手段を備え、ハンディターミナルは、ホスト装置に対してグループに属する電子値札装置の価格更新指示を送信する価格更新指示手段を備え、ホスト装置は、複数の電子値札装置から、ＰＯＰ装置に表示されている付加情報を取得する付加情報取得手段と、ハンディターミナルから価格更新指示を受信した場合、各電子値札装置から取得した付加情報に基づいて、商品マスタに記録されたグループ内の各電子値札装置の表示価格を、取得した付加情報に対応した価格に書き換える書き換え手段と、を備えたことを特徴とする。
【０００８】
これらの構成によれば、販売エリアに設置された電子値札装置の指示により、ＰＯＰ装置装着時に商品マスタに記録された電子値札装置の表示価格が電子表示装置から取得した付加情報に基づいて、付加情報に対応した価格に書き換わるため、ＰＯＰ装置に表記された内容と電子値札装置の表示価格との間にズレが生じることがない。このため、作業者は、ホスト装置の設置場所と販売エリアとの間を往復移動する必要が無い。また、販売エリアをグループとして管理することで、個々の電子値札装置毎に指示を出すことなく、販売エリア内の任意の１の電子値札装置の指示により、商品マスタに記録された販売エリア内の全てのＰＯＰ装置が装着された電子値札装置の表示価格を変更することができる。また、ハンディターミナルに価格更新指示手段を設けた場合には、電子値札装置に価格更新指示手段を設ける必要がないため、電子値札装置の機能を簡素化することができる。なお、ここでいうグループとは、販売エリア毎に分けた場合に限らず、販売店全体を１つのグループとしてもよい。また、電子値札装置の設置場所に限らず、電子値札装置に対応する商品の種別によりグループ分けしてもよい。なお、ＰＯＰ装置は、付加情報を電子的に表示する電子ＰＯＰ装置でもよいし、付加情報が表面に印刷されたＰＯＰ表示具のいずれであってもよい。
【０００９】
この場合、ホスト装置は、任意の１の電子値札装置から価格更新指示を受信した場合、グループ内の電子値札装置に、書き換え手段により書き換えられた価格を表示させる表示制御データを送信する表示制御データ送信手段をさらに備え、電子値札装置は、受信した表示制御データに基づいて当該価格を表示することが、好ましい。
【００１０】
この構成によれば、商品マスタに記録された表示価格が変更されるのに対応して、自動的に電子値札装置に変更後の価格を表示させることができる。
【００１１】
これらの場合、販売商品から商品情報を取得すると共に、商品マスタに商品情報を登録するためにホスト装置と通信するハンディターミナルをさらに有した商品情報表示システムであって、ハンディターミナルは、電子値札装置に対し、価格更新指示手段による価格更新指示を送信するように指示する送信指示手段を備えたことが、好ましい。
【００１２】
この構成によれば、ハンディターミナルの指示により電子値札装置からホスト装置に価格更新指示を出させるため、電子値札装置に価格更新用のスイッチを設ける必要がない。また、電子値札装置の通信インターフェースを利用して価格変更指示を出させるため、ハンディターミナルを簡易な装置構成とすることができる。
【００１３】
本発明の電子値札は、上記の商品情報表示システムに用いられる電子値札装置として機能することを特徴とする。
【００１４】
本発明のプログラムは、コンピュータに、上記の商品情報表示システムの表示制御方法における各ステップを実行させることを特徴とする。
【００１５】
これらの構成によれば、簡易な作業で、複数の電子値札装置を適切に管理することができる電子値札およびプログラムを提供することができる。
【発明を実施するための最良の形態】
【００１６】
以下、添付の図面を参照して、本発明の一実施形態に係る商品情報表示システムについて説明する。図１のシステム構成図に示すように、商品情報表示システム１は、販売商品に関する各種情報を表示する電子表示装置２（図では５つ）と、店舗の天井裏に設置され、電子表示装置２と無線通信で接続された複数（図示では３つ）のアンテナ３と、複数のアンテナ３と店舗内ＬＡＮ４を介して接続され、電子表示装置２の表示制御を行うホスト装置５と、販売商品から商品情報を取得すると共に、ホスト装置５に商品情報を登録するハンディターミナル６と、から構成されている。このとき、複数の電子表示装置２の内、例えば３つの電子表示装置２は、販売エリアＡに設置され、２つの電子表示装置２は、販売エリアＢに設置されている。そして、ホスト装置５は、各電子表示装置２を販売エリア毎にグループ化して管理している。また、電子表示装置２は、少なくとも表示価格７４（図２参照）を含む商品情報を表示する電子値札装置７と、電子値札装置７に電気的に接続され、表示価格７４に付加して表示すべき付加情報を表示する電子ＰＯＰ装置８と、で構成されている。
【００１７】
また、ホスト装置５は、電子値札装置７に電子値札装置７が表示する表示価格７４を管理する商品マスタ７１（図６参照）を備え、商品マスタ７１に基づいて生成した表示制御データを電子値札装置７に送信することで、電子値札装置７の表示制御を行う。また、ホスト装置５は、電子値札装置７に電子ＰＯＰ装置８が新たに装着された場合や、付け替えられた場合には、電子値札装置７を介して電子ＰＯＰ装置８から付加情報を取得し、付加情報を反映するように商品マスタ７１を更新させる。さらに、陳列された商品を変更した場合等は、ハンディターミナル６で商品に付されたバーコードから商品情報（商品コード７２）を読み取り、電子値札装置７に直接入力することもできる。なお、ここでいう付加情報とは販売商品の販売促進のための広告・宣伝情報のことであり、電子ＰＯＰ装置８内に表示データファイルとして記憶されている。表示制御データとは、電子値札装置７に表示させるための表示価格７４および在庫管理情報８６（図２参照）と、が含まれたものである。
【００１８】
電子値札装置７は、図２に示すように薄板の長方形状に形成され、正面の両端には、後述する電子ＰＯＰ装置８に形成された一対の保持爪部２８、２８に係止される一対の係止溝１１、１１が形成されている。正面中央のディスプレイ３２は、ホスト装置５から送信された表示制御データに基づいて、表示価格７４および在庫管理情報８６を表示する。在庫管理情報８６は、今週販売実績数８１、在庫状況８５および先週販売実績数８０から構成され、縦一列に表示される。在庫状況８５は、「Ｆ」、「Ｎ」、「Ｅ」の３段階に表示され、「Ｆ」は在庫数問題なし、「Ｎ」は在庫数小、「Ｅ」は在庫切れ、をそれぞれ意味している。店員は、在庫管理情報８６を見ることで、先週販売実績数８０から今週の売れ行きを予測し、今週販売実績数８１および在庫状況８５から発注数を指定できる構成となっている。
【００１９】
ディスプレイ３２の正面右側には、ホスト装置５に対し、商品マスタ７１に記憶された表示価格７４を価格更新させる価格更新ボタン１２が設けられている。この価格更新ボタン１２が押下されると、電子ＰＯＰ装置８に表示された表示データファイルの内容がホスト装置５に反映される（詳細は後述する）。また、ディスプレイ３２下方には、該当販売商品の商品名およびバーコードが印刷されたラベル１３が貼付されている。なお、ディスプレイ３２は、有機ＥＬなどの自発光タイプで輝度の高い表示素子等で構成してもよいし、消費電力の少ない液晶素子で構成するようにしてもよい。
【００２０】
電子ＰＯＰ装置８は、図３（ａ）、（ｂ）に示すように、板状フレームを断面Ｌ字型となるように屈曲形成したＰＯＰ本体２１と、ＰＯＰ本体２１の正面上部に設けたディスプレイ４２と、ＰＯＰ本体２１の正面下部に設けられた電子値札装置７を保持するための値札装着部２２と、ＰＯＰ本体２１の正面下部右側に設けられたディップスイッチ２３と、ＰＯＰ本体２１の背面に設けられた制御ボックス２４と、から構成されている。
【００２１】
値札装着部２２は、電子値札装置７の設置部となる背面プレート２５と、背面プレート２５の長手方向両端に設けられた一対の保持爪部２８、２８と、から構成されている。電子値札装置７は、一対の保持爪部２８、２８に、一対の係止溝１１、１１が係止されることにより上下左右に位置決め状態で固定される。背面プレート２５の表面には、４つの電極端子から成る接続インターフェース４９が埋設されており、電子値札装置７にも同様に接続インターフェース３９が埋設されている。そして、値札装着部２２に電子値札装置７が装着されると、両接続インターフェース４９、３９が接触し、電子ＰＯＰ装置８と電子値札装置７とが電気的に接続される。電子ＰＯＰ装置８および電子値札装置７は、この接続インターフェース４９、３９を介して、データの送受信を行う構成となっている。
【００２２】
ディップスイッチ２３は、ディスプレイ４２に表示される表示データファイル（付加情報）を選択する際に使用される。ディップスイッチ２３の各位置に対応して、側方に１から３までの数字が印字されており、各数字は、表示データファイルの種類に対応している。作業者は、ディップスイッチ２３を上下方向にスライド移動させて、各数字に対応した表示データファイルを選択し、ディスプレイ４２に表示させる。
【００２３】
制御ボックス２４は、内部に電子ＰＯＰ装置８の各部を制御するための電子部品を収容し（後述する）、制御ボックス２４の側部には、ＡＣアダプタの差込口２６およびＵＳＢポート２７を備えている。ＵＳＢポート２７は、ＵＳＢメモリなどにより、比較的容量の大きな表示データファイルをホスト装置５等のコンピュータから転送させるときに用いられる。
【００２４】
ハンディターミナル６は、先端部に設けられたスキャナ５９と、胴体部に設けられたディスプレイ５２および入力キー５８とから構成され（図４参照）、入力キー５８を操作して、スキャナ５９により販売商品に付されたバーコードから商品情報を読み取り、これをディスプレイ５２に表示させる。そして、取得した商品情報を、通信部を介して電子値札装置７に入力する。
【００２５】
続いて、図４の制御構成図を参照して商品情報表示システム１の制御構成について説明する。最初に電子値札装置７の制御構成について説明する。
【００２６】
電子値札装置７は、ディスプレイ３２、価格更新ボタン１２、通信インターフェース３１、接続インターフェース３９、ＲＯＭ３４（Read Only Memory）、ＲＡＭ３５（Random Access Memory）、メインメモリ３７および処理演算部３６を備え、これらは内部バス３３により接続されている。ＲＯＭ３４には、制御プログラムが記憶されており、電子値札装置７内の処理動作を制御している。また、メインメモリ３７は、商品情報記憶部９１およびグループ情報記憶部９２を有している。
【００２７】
通信インターフェース３１は、店舗内に設置されたアンテナ３と無線通信を行うためのものであり、無線通信回路（図示省略）を備えている。なお、無線通信に代えて赤外線により通信する構成としてもよい。
【００２８】
メインメモリ３７内の商品情報記憶部９１には、表示制御データから抽出された表示価格７４および在庫管理情報８６が記憶される。また、グループ情報記憶部９２には、自身が属するグループＩＤ８４（グループ情報）が記憶される（グループ情報記憶手段）。
【００２９】
制御プログラムは、ディスプレイ３２の表示処理およびホスト装置５への価格更新指示処理を処理演算部３６で制御するものである。表示処理は、ホスト装置５から受信した表示制御データに基づいて、ディスプレイ３２に表示価格７４や在庫管理情報８６を表示するものである。電子値札装置７は、ホスト装置５から表示制御データを受信すると、表示制御データから表示価格７４および在庫管理情報８６を抽出し、これを商品情報記憶部９１に記憶させる。そして、電子値札装置７は、商品情報記憶部９１から表示価格７４および在庫管理情報８６を読み出して、ディスプレイ３２に表示させる。
【００３０】
価格更新指示処理は、商品マスタ７１における同一グループに属する全ての電子値札装置７の表示価格７４を更新させるものである。電子値札装置７は、価格更新ボタン１２が押下されると、自身が属するグループＩＤ８４を含めて、価格更新指示情報を生成し、これをホスト装置５に対して送信する（価格更新指示手段）。そして、ホスト装置５は、受信した価格更新指示情報に基づいて、商品マスタ７１の当該電子値札装置７が属するグループの表示価格７４を更新する（詳細は後述する）。
【００３１】
電子ＰＯＰ装置８は、ディスプレイ４２、接続インターフェース４９、ディップスイッチ２３、ＲＯＭ４４、Ｆｌａｓｈメモリ４７、ＲＡＭ４５および処理演算部４６を備え、これらは内部バス４３に接続されている。また、ＲＯＭ４４、Ｆｌａｓｈメモリ４７、ＲＡＭ４５、処理演算部４６および内部バス４３は、上記した制御ボックス２４内に収容されている。ＲＯＭ４４には、制御プログラムが記憶されており、電子ＰＯＰ装置８は、当該制御プログラムに基づいて各種処理を制御している。また、Ｆｌａｓｈメモリ４７には、ディスプレイ４２に表示させる表示データファイルが複数記憶される。
【００３２】
Ｆｌａｓｈメモリ４７は、図５に示すように、ＰＯＰコード８３と表示データファイルとを関連付けて記憶しており、このＰＯＰコード８３は、ディップスイッチ２３の各位置（数字）に対応している。つまり、ディップスイッチ２３を操作することにより、表示データファイルを容易に選択できる構成となっている。図の例では、電子ＰＯＰ装置８の数字「１」はＰＯＰコード８３「ＨＤ０１」に対応し表示データファイル「店長おすすめ品」を示し、数字「２」はＰＯＰコード８３「ＨＤ０２」に対応し表示データファイル「タイムサービス品」を示し、数字「３」はＰＯＰコード８３「ＨＤ０３」に対応し表示データファイル「本日特売品」を示している。そして、例えば、ディップスイッチ２３を操作して、数字「１」にあわせると、処理演算部４６がＲＯＭ４４内の制御プログラムに従い、Ｆｌａｓｈメモリ４７からＰＯＰコード８３「ＨＤ０１」を読出し、ディスプレイ４２にＰＯＰコード８３「ＨＤ０１」に対応する表示ファイルデータ「店長おすすめ品」を表示させる。
【００３３】
ハンディターミナル６は、ディスプレイ５２、入力キー５８、通信インターフェース５１、ＲＯＭ５４、ＲＡＭ５５、スキャナ５９および処理演算部５６を備え、これらは内部バス５３に接続されている。ＲＯＭ５４には、制御プログラムが記憶されており、ハンディターミナル６は、当該制御プログラムに基づいて各種処理を制御している。
【００３４】
制御プログラムは、販売商品に付されたバーコードから商品情報を生成する商品情報生成処理の他、電子値札装置７に価格更新指示情報をホスト装置５に送信させる送信指示処理を処理演算部５６で制御するものである。商品情報生成処理は、ハンディターミナル６が、スキャナ５９で読み出したバーコードを解析して商品情報を生成し、これをディスプレイ５２に表示させる。また、入力キー５８には、価格更新キーが設けられており、電子値札装置７の価格更新ボタン１２を押下する代わりに、価格更新キーを押下して送信指示情報を電子値札装置７に送信し、電子値札装置７から価格更新指示情報をホスト装置５に送信させる（送信指示手段）。つまり、電子値札装置７およびハンディターミナル６の双方からホスト装置５による商品マスタ７１の価格更新処理を指示することができる構成となっている。
【００３５】
ホスト装置５は、入力デバイス６８、ディスプレイ６２、通信インターフェース６１、入出力インターフェース６９、内部バス６３、ＣＰＵ６６（Central Processing Unit）、ＲＯＭ６４、ＲＡＭ６５およびＨＤＤ６７（Hard Disk Drive）を備えている。ＨＤＤ６７には、商品マスタ７１を記憶している。ＲＯＭ６４には、制御プログラムが記憶されており、当該制御プログラムに基づいて各種処理を制御している。
【００３６】
商品マスタ７１には、図６に示すように商品コード７２、商品名７３、表示価格７４、通常価格７５、特別価格７６、タイムサービス価格７７、お薦め価格７８、在庫数７９、先週販売実績数８０、今週販売実績数８１、値札ＩＤ８２、ＰＯＰコード８３およびグループＩＤ８４が販売商品ごとに関連付けられて記憶されている。表示価格７４とは、販売商品の電子値札装置７に現在表示されている価格を示している。通常価格７５とは、販売商品の定価を示している。特別価格７６は通常価格７５の３割引、タイムサービス価格７７は通常価格７５の２割引、お薦め価格７８は通常価格７５の１割引をそれぞれ示している。値札ＩＤ８２は、ホスト装置５が電子値札装置７を特定するものであり、電子値札装置７との通信に利用される。
【００３７】
ＰＯＰコード８３は、電子値札装置７に装着された電子ＰＯＰ装置８に表示された表示データファイルを特定するものである。図６の例では、販売商品「さんま」はＰＯＰコード８３「ＨＤ０２」であり、対応する電子ＰＯＰ装置８に「タイムサービス品」が表示される。同様に、販売商品「牡蠣」、「キャベツ」、「カボチャ」はＰＯＰコード８３「ＨＤ０１」であり、対応する各電子ＰＯＰ装置８に「店長おすすめ品」が表示され、「オレンジ」はＰＯＰコード８３「ＨＤ０３」であり、対応する電子ＰＯＰ装置８に「本日特売品」が表示される。
【００３８】
そして、ＰＯＰコード８３「ＨＤ０１」はお薦め価格７８に対応し、ＰＯＰコード８３「ＨＤ０２」はタイムサービス価格７７に対応し、ＰＯＰコード８３「ＨＤ０３」は特別価格７６に対応している。つまり、図６の例では、販売商品「さんま」はＰＯＰコード８３「ＨＤ０２」であり、表示価格７４にタイムサービス価格７７が表示される。同様に、販売商品「牡蠣」、「キャベツ」、「カボチャ」はＰＯＰコード８３「ＨＤ０１」であり、表示価格７４にお薦め価格７８が表示され、販売商品「オレンジ」はＰＯＰコード８３「ＨＤ０３」であり、表示価格７４に特別価格７６が表示される。
【００３９】
グループＩＤ８４は、販売商品に対応する電子値札装置７が属するグループを示している。図６の例では、販売商品「さんま」、「牡蠣」は、鮮魚売場を示すグループＩＤ８４「００５」に属し、販売商品「キャベツ」、「カボチャ」、「オレンジ」は、青果売場を示すグループＩＤ８４「００１」に属していることを示している。
【００４０】
制御プログラムは、電子値札装置７から受信した更新指示情報に基づいて、商品マスタ７１の価格更新を行う価格更新処理の他、価格更新された商品マスタ７１に基づいて、電子値札装置７の表示制御を行う表示制御処理をＣＰＵ６６で制御するものである。価格更新処理は、ホスト装置５が電子値札装置７から価格更新指示情報を受信すると、価格更新指示情報からグループＩＤ８４を抽出し、商品マスタ７１における同一グループ内の全ての電子値札装置７の値札ＩＤ８２を特定して、各電子値札装置７に対し、ＰＯＰコード８３の送信要求を行う。ホスト装置５は、各電子値札装置７からＰＯＰコード８３を取得すると、商品マスタ７１のＰＯＰコード８３を新たに取得したＰＯＰコード８３に書き換える。そして、ホスト装置５は、書き換えられたＰＯＰコード８３に基づいて対応する価格（以下、選択価格と称する）を決定し、商品マスタ７１における同一グループ内の各電子値札装置７の表示価格７４を、選択価格に書き換える（書き換え手段）。例えば、作業者が販売商品「キャベツ」に対応する電子値札装置７の価格更新ボタン１２を押下すると、同一グループである「キャベツ」および「カボチャ」の表示価格７４がお薦め価格７８に、「オレンジ」の表示価格７４が特別価格７６にそれぞれ書き換わる。
【００４１】
表示制御処理は、ホスト装置５が商品マスタ７１を価格更新すると、商品マスタ７１から書き換え後の表示価格７４および在庫管理情報８６を抽出し、これらに基づいて表示制御データを生成する。ホスト装置５は、生成した表示制御データを、価格更新指示を要求した電子値札装置７のグループに一斉送信する（表示制御データ送信手段）。そして、表示制御データを受信した各電子値札装置７は、更新された表示価格７４をディスプレイ３２に表示する。
【００４２】
続いて、図７のフローチャートを参照して、商品情報表示システム１における表示制御処理の流れについて説明する。
【００４３】
先ず、作業者が電子ＰＯＰ装置８のディップスイッチ２３を操作して、表示データファイルを変更し、電子値札装置７の価格更新ボタン１２またはハンディターミナル６の価格更新キーを押下すると（Ｓ０１）、電子値札装置７は、メインメモリ３７に記憶したグループＩＤ８４から価格更新指示情報を生成し、ホスト装置５に送信する（Ｓ０２）。ホスト装置５は、受信した価格更新指示情報からグループＩＤ８４を抽出し、同一グループに属する全ての電子値札装置７に対してＰＯＰコード８３の送信要求を行う（Ｓ０３）。ホスト装置５は、各電子値札装置７からＰＯＰコード８３を取得すると、商品マスタ７１の同一グループのＰＯＰコード８３を、取得したＰＯＰコード８３にそれぞれ書き換える（Ｓ０４）。
【００４４】
そして、ホスト装置５は、各ＰＯＰコード８３に基づいて選択価格を決定し（Ｓ０５）、商品マスタ７１の同一グループに含まれる表示価格７４を、それぞれのＰＯＰコード８３に対応する選択価格に書き換える（Ｓ０６）。ホスト装置５は、書き換え後の表示価格７４に基づいて、表示制御データを生成し、同一グループに属する全ての電子値札装置７に一斉に送信する（Ｓ０７）。電子値札装置７は、受信した表示制御データに基づいてディスプレイ３２の表示を切り換える（Ｓ０８）。
【００４５】
以上の構成によれば、販売エリアに設置された電子値札装置７の指示により、電子ＰＯＰ装置８の装着時に商品マスタ７１に記憶された電子値札装置７の表示価格７４が電子ＰＯＰ装置８から取得した付加情報に基づいて、付加情報に対応した価格に書き換わるため、電子ＰＯＰ装置８に表示された内容と電子値札装置７の表示価格７４との間にズレが生じることがない。このため、作業者は、ホスト装置５の設置場所と販売エリアとの間を往復移動する必要が無い。また、販売エリアをグループとして管理することで、個々の電子値札装置７毎に指示を出すことなく、販売エリア内の任意の１の電子値札装置７の指示により、商品マスタ７１に記憶された販売エリア内の全ての電子ＰＯＰ装置８が装着された電子値札装置７の表示価格７４を変更することができる。なお、ここでいうグループとは、販売エリア毎に分けた場合に限らず、販売店全体を１つのグループとしてもよい。また、電子値札装置７の設置場所に限らず、電子値札装置７に対応する販売商品の種別によりグループ分けしてもよい。
【００４６】
なお、商品マスタ７１内の表示価格７４の書き換えは、上記のように取得したＰＯＰコード８３に基づいて表示価格７４を書き換える構成に代えて、電子ＰＯＰ装置８から販売商品の割引率を取得し、この割引率に基づいて表示価格７４を書き換える構成としてもよい。この場合、電子ＰＯＰ装置８のＦｌａｓｈメモリ４７に、ＰＯＰコード８３、表示データファイルおよび割引率を関連付けて記憶しておく（図８参照）。そして、ホスト装置５は、電子値札装置７にＰＯＰコードを送信要求する代わりに割引率を送信要求する。ホスト装置５は、電子値札装置７を介して電子ＰＯＰ装置８から割引率を取得し、表示価格７４を商品マスタ７１の通常価格７５と割引率との積である算出価格に書き換える。この場合、商品マスタ７１に、特別価格７６、タイムサービス価格７７、お薦め価格７８の情報が不要になるため、容量を減らすことができる。
【００４７】
なお、上記したように、ハンディターミナル６で電子値札装置７に対してホスト装置５に価格更新指示情報を送信させる構成に代えて、ハンディターミナル６から直接、ホスト装置５に対して価格更新指示情報を送信する構成としてもよい。この場合、入力キー５８により、価格更新させるグループを入力し、価格更新キーを押下して、ホスト装置５に対して価格更新させる。これにより、電子値札装置７に価格更新ボタン１２を設ける必要がないため、電子値札装置７を簡易な装置構成とすることができる。
【００４８】
なお、上記したように本実施形態では電子ＰＯＰ装置８を例に挙げて説明したが、電子ＰＯＰ装置８に限らず、付加情報を表記したＰＯＰ表示具９５でもよい。この場合、図９に示すようにＰＯＰ表示具９５は、プラスチック材等の薄板材で、中央に電子値札装置７を装着するための矩形状の装着開口９６が形成されている。また、ＰＯＰ表示具９５には、装着開口９６の上縁部に凹凸部９７が形成され、ＰＯＰ表示具９５に表記された付加情報の種類を識別する際に利用される。電子値札装置７は、上部に複数の検出スイッチ９８（図では３つ）が設けられ、ＰＯＰ表示具９５の装着開口９６に電子値札装置７が装着されることで、凹凸部９７に検出スイッチ９８が押下され、装着されたＰＯＰ表示具９５の付加情報を識別する。そして、ホスト装置５は、電子値札装置７から取得した付加情報に基づいて、商品マスタ７１を更新する。
【００４９】
一方で、上記の例に示した、商品情報表示システム１の各機能をソフトウェアプログラムとして提供することも可能である。また、そのプログラムを記憶媒体（図示省略）に格納して提供できる。記憶媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００５０】
上記に示した実施例によらず、商品情報表示システム１の処理工程について、本発明の要旨を逸脱しない範囲で、適宜変更も可能である。
【図面の簡単な説明】
【００５１】
【図１】商品情報表示システムのシステム構成図である。
【図２】電子値札装置の斜視図である。
【図３】電子ＰＯＰ装置の斜視図である。
【図４】商品情報表示システムの制御構成図である。
【図５】ＰＯＰコードと表示データファイルとの関係を示す図である。
【図６】商品マスタの一例を示す図である。
【図７】商品情報表示システムにおける表示制御処理を示すフローチャートである。
【図８】ＰＯＰコードと表示データファイルと割引率との関係を示す図である。
【図９】ＰＯＰ表示具を装着する場合における電子値札装置およびＰＯＰ表示具の斜視図である。
【符号の説明】
【００５２】
１…商品情報表示システム  ５…ホスト装置  ６…ハンディターミナル  ７…電子値札装置  ８…電子ＰＯＰ装置（ＰＯＰ装置）  ７１…商品マスタ  ７４…表示価格  ８４…グループＩＤ（グループ情報）  ９５…ＰＯＰ表示具（ＰＯＰ装置）
【図１】
2008212446.tif 000003
【図２】
2008212446.tif 000004
【図３】
2008212446.tif 000005
【図４】
2008212446.tif 000006
【図５】
2008212446.tif 000007
【図６】
2008212446.tif 000008
【図７】
2008212446.tif 000009
【図８】
2008212446.tif 000010
【図９】
2008212446.tif 000011